(57)【要約】【課題】  トリートメント溶液を毛髪にイオン導入し、遠赤外線照射によりイオン化したトリートメント溶液を毛髪中に深く導入する毛髪のトリートメント器具の提供。【解決手段】  握り柄基部２を支点に回動挟持可能な分岐した握り柄６と握り柄１０からなり、握り柄６の先端側の内面７の毛髪挟持部８の先端に超音波ミスト生成部９とその内面にミスト噴出口１５を配設し、握り柄１０の先端側の内面１１の長手方向にイオン化用電極１３と遠赤外線照射面１４を並置し、握り柄基部後端３に外部の制御電源装置に接続する配線コード４を設けたトリートメント器具１と、イオン化回路部、遠赤外線発生用電源部および超音波発生用電源部を内蔵し、トリートメント器具１のイオン化用電極１３と反対極性のイオン化用電極面１９を先端に有するイオン導入用配線コード１８を具備する制御電源装置１７とからなる毛髪への有効成分のイオン導入及び遠赤外線付与トリートメント装置。【選択図】      図１
2006087628.tif 000002
【特許請求の範囲】
【請求項１】
握り柄基部２を支点として蝶番状に回動可能かつ挟持自在な二股に分岐した一方の握り柄６と他方の握り柄１０からなる挟み具５を有し、一方の握り柄６の先端側の内面７を毛髪挟持部８に形成し、該毛髪挟持部８の先端に超音波ミスト生成部９を設け、該超音波ミスト生成部９の握り柄６の内面側にミスト噴出口１５を配設し、該握り柄６の表面側に超音波発生用スイッチ１６を設け、他方の握り柄１０の先端側の内面１１の握り柄長手方向にイオン化用電極１３と遠赤外線照射面１４からなる毛髪挟持部１２を並列配置し、握り柄基部後端３に超音波発生用、イオン導入用および遠赤外線発生用の配線コード４を接続したトリートメント器具１と、イオン化回路部、遠赤外線発生用電源部および超音波発生用電源部を内蔵し、かつ、トリートメント器具１のイオン化用電極１３と反対極性のイオン化用電極面１９を先端に有するイオン導入用配線コード１８を具備する制御電源装置１７とからなることを特徴とする毛髪への有効成分のイオン導入及び遠赤外線付与トリートメント装置。
【請求項２】
トリートメント器具１の一方の握り柄６の先端側の内面７に配備したイオン化用電極１３とイオン導入用配線コード１８の先端の反対極性のイオン化用電極面１９は、制御電源装置１７に設けた極性切換えスイッチ２０によりプラスイオン化用電極又はマイナスイオン化用電極に切換え自在とされていることを特徴とする請求項１に記載の毛髪への有効成分のイオン導入及び遠赤外線付与トリートメント装置。
【発明の詳細な説明】
【技術分野】
【０００１】
この発明は、毛髪へ有効成分を付与する際の前処理溶液あるいは後処理溶液であるトリートメント溶液をイオン化することでイオン化したトリートメント溶液の有効成分を毛髪により効率よく導入するトリートメント装置で、特に毛髪をトリートメントするためのトリートメント溶液のイオン導入装置および遠赤外線付与装置を一体化したイオン導入及び超音波振動付与トリートメント装置に関する。
【背景技術】
【０００２】
従来から、弱った毛髪の生えている皮膚にトリートメント溶液の有効成分を与えてしなやかさや滑らかさあるいはつやのある毛髪とすることが試みられ、また薄くなった毛髪を増やすために毛髪の生えている皮膚組織に化粧品や薬溶液を直接浸透させることが試みられている。
【０００３】
しかし、このように毛髪の生えている皮膚組織に直接化粧品や薬溶液を浸透させることは容易なことではない。それは毛髪の生えている皮膚組織は、表皮、真皮、皮下組織からなり、表皮の最も表面側にある角質層の下部には余分な水分や毒性物質の侵入を防御するバリアゾーンが存在するからである。このため化粧品や薬溶液を最も効果的に作用させたい真皮や皮下にこれら化粧品や薬溶液を浸透させることは困難なことである。
【０００４】
ところで、身体に含まれている体液や皮膚を構成する細胞は電解質からなる溶液で構成されており、例えば、汗の成分であるＮａ、Ｋ、ＣａあるいはＭｇは体液や細胞中でプラスイオンとして含有されており、Ｃｌ、ＨＣＯ3あるいはＨ2ＰＯ4などはマイナスイオンとして含有されている。したがって、これらのイオンは人体中に電気回路を形成さえすれば自在に移動させることができる。一方、微弱な電流は人体に通しても安全であり、このような微弱な電流を皮膚に作用させると、垂直に角質層の下部にあるバリアゾーンを越えて表皮と真皮の間にまで微弱な電流は流れることができる。この原理を利用して溶液中のイオン化された成分をイオンの流れとすることで、このイオンを真皮にまで浸透させる方法が医療分野で実施されイオン導入法として知られている。
【０００５】
このようなイオン浸透法により薬効成分を皮膚に浸透させることで毛髪を増殖させる方法（例えば、特許文献１参照。）が既に開発されている。さらに、高周波パルスを発生させたブラシで頭皮をブラッシングすることで高周波パルスにより水溶性有効成分をイオン化して短時間に頭皮内部に深く浸透させる方法（例えば、特許文献２参照。）がある。また、さらに頭皮に作用する櫛の歯を用いる毛髪の発生装置（例えば、特許文献３参照。）がある。
【０００６】
そこで、これらの方法を利用して、ビタミンＡや活性型ビタミンＣやアミノ酸などの肌に有効な成分をイオン化するとともに肌に微弱な電流を流すことにより、これらの有効成分を肌に浸透させる方法により、シミや小じわや肌の張りやニキビや赤ら顔や毛穴の開きなどの不具合を改善し、透明感のあるきれいな肌にするイオン導入方法がある。このイオン導入方法は単に肌に有効な成分を塗り込む化粧方法に比べて、表皮の直下のバリアゾーンを越えたより深い皮膚層にまで有効成分を浸透させることができる。
【０００７】
一方、皮膚に超音波振動を付与することで有効成分を肌に浸透させる方法が行われ、超音波振動付与方法として実施されている。これは、超音波振動を皮膚に与えることで、皮膚に空洞化現象を起こすことで、有効成分を肌の深部にまで浸透させるものである。
【０００８】
ところで、以上に説明したイオン導入方法や超音波振動付与方法は、いずれも毛髪の生えている皮膚に直接に有効成分を浸透させるものであるが、毛髪自体に栄養分を直接浸透させて毛髪を美しい健全な毛髪とするものではない。
【０００９】
一方、超音波を毛髪に作用させて薬溶液を浸透させることでカールした毛髪をストレートに矯正する技術（例えば、特許文献３参照。）がある。さらにメルカプト基を含む物質を毛髪に超音波振動により付与して毛髪をパーマする方法（例えば、特許文献４参照。）や、毛髪を形成するタンパクに含まれるアミノ酸を含有する溶液を毛髪に付与することにより毛髪をセットする方法（例えば、特許文献５参照。）がある。
【００１０】
これらの技術は、超音波を毛髪に作用させるものであるが、毛髪をカールさせたり、カールした毛髪のカールをなくしたりするための一種のパーマの方法であり、毛髪自体にトリートメント溶液を付与することで健全な美しい毛髪に改善するものではない。また、超音波を直接毛髪に付与することは毛髪中の脂質の油分を毛髪外に出すこととなり、毛髪にダメージを与える恐れがある。
【００１１】
ところで、傷んだ毛髪や弱った毛髪にトリートメント溶液を与えたり、リンスすなわちコンディショナーを毛髪に付与して整え、しなやかさやなめらかさやつやを与え、ときには静電気を防止することが行われている。しかし、これらはトリートメント溶液やコンディショナーを手で毛髪に塗るように付けたり、あるいは溶液を毛髪にスプレーして与えるのが一般的で、均一に効率よく塗布するには熟練を要した。
【００１２】
【特許文献１】特表平８−５０８７１７号公報
【特許文献２】特許第２９６４８８４８号公報
【特許文献３】特開２００１−１２０３３５号公報
【特許文献４】特開２０００−３７２２１号公報
【特許文献５】特開２０００−３７２２２号公報
【発明の開示】
【発明が解決しようとする課題】
【００１３】
本発明が解決しようとする課題は、毛髪に栄養成分を付与して手入れする際の前処理溶液あるいは後処理溶液であるトリートメント溶液を毛髪に付与するための前処理を行うことでトリートメント溶液の有効成分を効率よく毛髪の中に導入し易くすると共に、トリートメント溶液をイオン化して毛髪にイオン導入するための器具を提供することである。
【課題を解決するための手段】
【００１４】
上記の課題を解決するための本発明の手段は、請求項１の発明では、握り柄基部２を支点として蝶番状に回動可能かつ挟持自在な二股に分岐した一方の握り柄６と他方の握り柄１０からなる挟み具５を有し、一方の握り柄６の先端側の内面７を毛髪挟持部８に形成し、該毛髪挟持部８の先端に超音波ミスト生成部９を設け、該超音波ミスト生成部９の握り柄６の内面側にミスト噴出口１５を配設し、該握り柄６の表面側に超音波発生用スイッチ１６を設け、他方の握り柄１０の先端側の内面１１の握り柄長手方向にイオン化用電極１３と遠赤外線照射面１４からなる毛髪挟持部１２を並列配置し、握り柄基部後端３に超音波発生用、イオン導入用および遠赤外線発生用の配線コード４を接続したトリートメント器具１と、イオン化回路部、遠赤外線発生用電源部および超音波発生用電源部を内蔵し、かつ、トリートメント器具１のイオン化用電極１３と反対極性のイオン化用電極面１９を先端に有するイオン導入用配線コード１８を具備する制御電源装置１７とからなることを特徴とする毛髪への有効成分のイオン導入及び遠赤外線付与トリートメント装置である。
【００１５】
請求項２の発明では、トリートメント器具１の一方の握り柄６の先端側の内面７に配備したイオン化用電極１３とイオン導入用配線コード１８の先端の反対極性のイオン化用電極面１９は、制御電源装置１７に設けた極性切換えスイッチ２０によりプラスイオン化用電極又はマイナスイオン化用電極に切換え自在とされていることを特徴とする請求項１の手段の毛髪への有効成分のイオン導入及び遠赤外線付与トリートメント装置である。
【発明の効果】
【００１６】
この発明は、キューティクルがきれいに揃い、はり、こし、つやがあり、かつ、なめらかな健康な毛髪とするために、毛髪にしなやかさ、なめらかさ、つやを与えるトリートメント有効成分を付与するために、直接トリートメント溶液を毛髪にイオン化して導入する際、予め超音波によるミストを発生して毛髪を湿潤化することで、毛髪内へのトリートメント成分のイオンによる浸透力を高め、単にトリートメント溶液をイオン化して頭部皮膚から導入するものに比して毛髪へ直接的にトリートメント溶液をイオン導入することにより的確に効率よく毛髪に作用させることができ、さらにイオン化用電極の極性のプラス・マイナスを自在に切換え可能としたので、マイナスイオンの溶液でもプラスイオンの溶液でも自在に毛髪にイオン導入できることとなり、この結果、種々の極性に拘泥することなくトリートメント溶液を幅広く活用でき、さらに遠赤外線をイオン導入した毛髪に付与することで毛髪へのトリートメント効果を一層高めうるなど、本発明のイオン導入及び遠赤外線付与トリートメント装置は、従来の手で毛髪に付着する方法や、従来の皮膚にトリートメント溶液を導入する器具や、単に毛髪にパーマを形成する器具に比し、毛髪により優れたトリートメント効果を付与することができるものである。
【発明を実施するための最良の形態】
【００１７】
本発明を実施するための最良の形態を図面を参照して説明する。図１は、本発明の第１の発明のイオン導入及び遠赤外線付与トリートメント装置の実施例の模式図である。このイオン導入及び遠赤外線付与トリートメント装置は手で保持して取り扱うトリートメント器具１とその制御部と電源部を有する制御電源装置１７からなる。トリートメント器具１は、図２に示すように、一方の握り柄６と他方の握り柄１０からなり、握り柄６と握り柄１０はこれらの握り柄基部２を支点として蝶番状に回動し、挟着自在な二股に分岐して突出し、握り柄６と握り柄１０からなる挟み具５に形成されている。握り柄６と握り柄１０の握り柄基部２の後端部には配線コード４を有し、配線コード４は制御電源装置１７に接続されている。
【００１８】
さらに詳細に説明すると、トリートメント器具１の一方の握り柄６の先端側の内面７は毛髪挟持部８に形成され、同様に他方の握り柄１０の先端側の内面１１は毛髪挟持部１２に形成されている。これらの毛髪挟持部８および毛髪挟持部１２により処理する毛髪は挟持される。他の一実施の形態では、一方の握り柄６の毛髪挟持部８の長手方向周辺には櫛歯８ａが形成されている。この櫛歯８ａの先端は他方の握り柄１０の先端側の内面１１に向き、この先端側の内面１１で受けて処理する毛髪を整髪する。しかし、この櫛歯８ａは必須のものではなく省略することができる。他方の握り柄１０の毛髪挟持部１２の内面にはその長手方向に延びるイオン化用電極１３と遠赤外線照射面１４が並列して配設されている。このイオン化用電極１３は予め毛髪に塗布したトリートメント液をイオン化し、毛髪中へこのイオン化されたトリートメント液を効果的に導入する。一方、遠赤外線照射面１４は、遠赤外線を上述のイオン化されて毛髪に照射することで毛髪中に効果的に導入されたトリートメント液のクラスターを細分化して毛髪のキューティクルが湿潤し易くなる働きをする。
【００１９】
さらに、一方の握り柄６の毛髪挟持部８の先端にはミスト用の水を受容する容器９ａを有する超音波ミスト発生部９が配設されている。この超音波ミスト発生部９の握り柄６の先端側の内面７の側には、図３に示すように、ミスト噴出口１５が配設されている。一方の握り柄６の外側の表面には超音波発生用スイッチ１６を有する。超音波ミスト発生部９の中には２０ｋＨｚ〜２００ｋＨｚの超音波を発出する超音波振動子からなる超音波振動板９ｂが配設され、容器９ａから滴下された水が超音波振動板９ｂより超音波振動を受けてミストを発生し、生じたミストを握り柄６の先端側の内面７のミスト噴出口１５から噴出する。一方、トリートメント器具１の握り柄基部２の後端部から配線コード４で接続された制御電源装置１７はその内部にイオン化回路部、遠赤外線発生用電源部および超音波発生用電源部を内蔵し、かつ、制御電源装置１７から外部にイオン導入用配線コード１８を伸長して有し、イオン導入用配線コード１８の先端にはトリートメント器具１のイオン化用電極１３と極性が反対のイオン化用電極面１９を有する。
【００２０】
さらに、請求項２の発明の実施の形態を示すと、トリートメント器具１の一方の握り柄６の先端側の内面７に配備したイオン化用電極１３とイオン導入用配線コード１８の先端の反対極性のイオン化用電極面１９の極性を切り換えるための極性切換えスイッチ２０を制御電源装置１７の機器箱に有している。この制御電源装置１７に設けた極性切換えスイッチ２０を切換えることにより、制御電源装置１７のイオン化用電極１３と制御電源装置１７からのイオン化用電極面１９を互いに反対の極性であるプラスイオン化用電極又はマイナスイオン化用電極に切換え自在としている。
【００２１】
この発明におけるイオン導入及び遠赤外線付与トリートメント装置の使用方法を説明する。処理する毛髪はあらかじめトリートメント器具１の超音波ミスト発生部９の容器９ａに水を入れ、握り柄６の外側表面の超音波発生用スイッチ１６を入れる。このことにより握り柄６の先端部の内面側のミスト噴出口１５からミストが勢いよく噴出する。この状態で握り柄６のミスト噴出口１５を毛髪に満遍なくかざして毛髪を湿潤状態にする。例えば、パーマを当ててカールさせた髪の毛をストレートにする場合は、この湿潤化された状態の毛髪を握り柄６と握り柄１０の挟み具５で挟持した後、制御電源装置１７の遠赤外線発生用電源部のスイッチを入れて握り柄１０の内面側の遠赤外線照射面１４から遠赤外線を挟持した毛髪に照射しながら、トリートメント器具１の挟み具５を毛髪の生え際から毛先側にすき上げる。この遠赤外線を照射しながらすき上げることにより毛髪は速やかにストレートに整髪される。
【００２２】
一方、毛髪にトリートメント溶液の有効成分を効率よく浸透させて、毛髪に栄養分を付与して毛髪表面のキューティクルを整え艶やかな毛髪とするものとする。この場合は、上記のように毛髪を湿潤化し終わると、湿潤化した毛髪にトリートメント液を満遍なく付与して毛髪にトリートメント液を馴染み易くし、十分にトリートメント液の馴染んだ毛髪をトリートメント器具１の握り柄６と握り柄１０の挟み具５で挟持した後、制御電源装置１７の遠赤外線発生用電源部のスイッチを入れ、トリートメント器具１の挟み具５を毛髪の生え際から毛先側にすき上げる。この際に、遠赤外線発生用電源部のスイッチを入れ、遠赤外線を照射しながらすき上げることにより、トリートメント液を毛髪に速やかに浸透させることができる。上記において、毛髪にトリートメント液を満遍なく付与するために、毛髪を湿潤化する際に、超音波ミスト発生部９の容器９ａに入れる水に換え、トリートメント液を入れることで、トリートメント液の超音波ミストを発生させて髪の毛に噴霧し、毛髪の湿潤化にあわせてトリートメント液の毛髪への塗布を容易に行う。
【００２３】
この場合、ところで、例えば、毛髪に作用させたいトリートメント溶液がマイナスイオンの溶液であるならば、一方の握り柄６の先端側の内面７に配備したイオン化用電極１３の極性をマイナスイオン導入用とするために、制御電源装置１７の極性切換えスイッチ２０をマイナス側に切換える。このようにして極性切換えスイッチ２０を入れることで、イオン化用電極１３において毛髪側がマイナス化され、トリートメント溶液のプラスイオン化された有用成分は毛髪中に効率よくイオン導入される。この場合、制御電源装置１７のイオン挿入用コード１８の先端のイオン化用電極面１９は毛髪を処理される本人の手指の皮膚面に接触されイオン化用の回路が機器・毛髪・人体・手指の皮膚面・機器と生成され、トリートメント液のプラスイオン成分が毛髪中に導入される。これとは逆に、トリートメント液のマイナスイオンを導入する場合は、極性切換えスイッチ２０をプラス側に切換えることで、トリートメント液のマイナスイオン成分が毛髪に導入されることとなる。
【００２４】
上記において、イオン導入と同時に制御電源装置１７の遠赤外線発生用のスイッチを入れることで、このイオン導入中に握り柄１０の遠赤外線照射面１４から遠赤外線がイオン挿入中の毛髪に照射され溶液のクラスターを小さくすることで、トリートメント液のイオン成分を一層に効率よく毛髪中にイオン導入され、十分に浸透されることとなる。
【図面の簡単な説明】
【００２５】
【図１】本発明の実施の形態のイオン導入及び遠赤外線付与トリートメント装置を示す模式図である。
【図２】本発明の実施の形態のトリートメント器具を示す模式図である。
【図３】本発明の実施の形態のトリートメント器具の他方の握り柄の外面側から見た模式図である。
【符号の説明】
【００２６】
１  トリートメント器具
２  握り部基部
３  握り柄基部後端
４  配線コード
５  挟み具
６  握り柄
７  先端側の内面
８  毛髪挟持部
８ａ  櫛歯
９  超音波ミスト発生部
９ａ  容器
９ｂ  超音波振動板
１０  握り柄
１１  先端側の内面
１２  毛髪挟持部
１３  イオン化用電極
１４  遠赤外線照射面
１５  ミスト噴出口
１６  超音波発生用スイッチ
１７  制御電源装置
１８  イオン導入用配線コード
１９  イオン化用電極面
２０  極性切換えスイッチ
【図１】
2006087628.tif 000003
【図２】
2006087628.tif 000004
【図３】
2006087628.tif 000005